【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】複数の表示用ドットが形成される基材と、
該基材上の前記表示用ドットに対応する領域に設けられ、前記複数の表示用ドット間の領域には設けられない下地層と、
該下地層上と該下地層間の前記基材上に設けられる金属膜からなる反射層と、
前記下地層上の前記反射層上に設けられた着色層と、
前記下地層間の前記反射層上に設けられた樹脂からなる遮光層とを有する
ことを特徴とする電気光学装置用基板。
【請求項２】  請求項１において、前記下地層の平面形状は前記表示用ドットの平面形状と略同じであることを特徴とする電気光学装置用基板。
【請求項３】  複数の表示用ドットが形成される基材と、
互いに隣り合う前記表示用ドットの間の領域で開口部を有するように前記基材上に設けられた下地層と、
該下地層上と前記開口部の前記基材上に設けられた金属膜からなる反射層と、
前記下地層上の前記反射層上に設けられた着色層と
前記反射層上であって、前記開口部を埋めるように設けられた樹脂からなる遮光層と、
を有することを特徴とする電気光学装置用基板。
【請求項４】  複数の表示用ドットが形成される基材と、
互いに隣り合う前記表示用ドットの間の領域で開口部を有するように前記基材上に設けられ、且つ不規則に配列された山部又は谷部を有する下地層と、
該下地層上と前記開口部の前記基材上に設けられた金属膜からなる反射層と、
前記下地層上の前記反射層上に設けられた着色層と
前記反射層上であって、前記開口部を埋めるように設けられた樹脂からなる遮光層と、
を有することを特徴とする電気光学装置用基板。
【請求項５】  複数の表示用ドットが形成される基材と、
互いに隣り合う前記表示用ドットの間の領域で開口部を有するように前記基材上に設けられ、且つ不規則に配列された山部又は谷部を有する下地層と、
該下地層上と前記開口部の前記基材上に設けられた金属膜からなる反射層と、
前記下地層上の前記反射層上においては一層で設けられ、前記下地層の開口部の前記反射層においては積層して設けられる樹脂からなる着色層と
を有することを特徴とする電気光学装置用基板。
【請求項６】  請求項１乃至請求項５のいずれか１項に記載の電気光学装置用基板において、前記反射層は一部に開口部を有することを特徴とする電気光学装置用基板。
【請求項７】  請求項６に記載の電気光学装置用基板において、前記遮光層の高さは、前記下地層の高さと略同じであることを特徴とする電気光学装置用基板。
【請求項８】  請求項７に記載の電気光学装置用基板において、前記着色層上に設けられる保護層を、さらに有することを特徴とする電気光学装置用基板。
【請求項９】  請求項６乃至請求項８のいずれか１項に記載の電気光学装置用基板において、前記反射層の開口部の底部は、前記下地層が除かれた領域を有することを特徴とする電気光学装置用基板。
【請求項１０】  請求項５において、
前記下地層の開口部の着色層は、青色系の前記着色部、緑色系の前記着色部及び赤色系の前記着色部を少なくとも有し、
青色系の前記着色部、緑色系の前記着色部及び赤色系の前記着色部は、前記隣り合う表示用ドットの間の領域において前記基材に前記青色系の着色部、前記緑色系の着色部及び前記赤色系の着色部の順に積層される
ことを特徴とする電気光学装置用基板。
【請求項１１】  請求項５において、
前記下地層の開口部の着色部は、前記青色系の着色部の厚さが０．７〜２．０μｍに、前記緑色系の着色部の厚さが０．８〜１．２μｍに、前記赤色系の着色部の厚さが０．７〜１．１μｍの範囲であり、且つ前記青色系の着色部の厚さは前記緑色系の着色部の厚さ及び前記赤色系の着色部の厚さよりも厚くに形成される
ことを特徴とする電気光学装置用基板。    
【請求項１２】  請求項５において、
前記下地層の開口部の着色層は第１色の第１着色部と、第２色の第２着色部とを少なくとも有し、前記第１着色部と前記第２着色部は、前記互いに隣り合う表示用ドットの間の領域において重なるように形成されることを特徴とする電気光学装置用基板。
【請求項１３】  請求項１２において、前記第１着色部及び第２着色部は、それぞれ、前記互いに隣り合う表示用ドットに対応して設けられることを特徴とする電気光学装置用基板。
【請求項１４】  請求項１２において、
前記第１着色部の可視光波長域における平均透過率は、前記第２着色部の可視光波長域における平均透過率よりも低く、
前記第１着色部及び前記第２着色部は、前記下地層の開口部において該第１着色部及び該第２着色部の順に積層される
ことを特徴とする電気光学装置用基板。
【請求項１５】  請求項１２において、
前記第１着色部の光の波長域４００ｎｍ〜７００ｎｍにおける平均透過率は、前記第２着色部の光の波長域４００ｎｍ〜７００ｎｍにおける平均透過率よりも低く、
前記第１着色部及び前記第２着色部は、前記基材に該第１着色部及び該第２着色部の順に積層され、且つ前記第１着色部の厚さは前記第２着色部の厚さよりも厚く形成されることを特徴とする電気光学装置用基板。
【請求項１６】  請求項１２において、
前記第１着色部の厚さは、０．７μｍ以上であって２．０μｍ以下であることを特徴とする電気光学装置用基板。
【請求項１７】  請求項５において、
前記下地層の開口部の着色層は、青色系の前記着色部と、
緑色系又は赤色系の前記着色部とを有し、
青色系の前記着色部と緑色系又は赤色系の前記着色部とは、前記互いに隣り合う表示用ドットの間の領域において前記基材に前記青色系の着色部及び前記緑色系又は赤色系の着色部の順に積層され、且つ前記青色系の着色部の厚さは前記緑色系の着色部の厚さ及び前記赤色系の着色部の厚さよりも厚く積層される
ことを特徴とする電気光学装置用基板。
【請求項１８】  請求項１乃至請求項５のいずれか１項に記載の電気光学装置用基板と、
該電気光学装置用基板に対向して設けられた他の基板と、
前記電気光学装置用基板と前記他の基板との間に設けられた電気光学物質層と
を有することを特徴とする電気光学装置。
【請求項１９】  互いに対向して配置される第１基材及び第２基材と、
前記第１基材と前記第２基材との間に配置される電気光学物質と、
前記第１基材上に設けられた第１電極と、
前記第２基材上に設けられた第２電極と、
前記第１電極と前記第２電極とが重なる領域に形成された複数の表示用ドットと、
互いに隣り合う前記表示用ドットの間の領域で開口部を有するように前記第１基材上に設けられ、且つ不規則に配列された複数の山部又は谷部を有する下地層と、
該下地層上と該下地層間とに設けられた金属膜からなる反射層と、
前記下地層の開口部を埋めるように設けられた樹脂からなる遮光層と
を有することを特徴とする電気光学装置。
【請求項２０】  互いに対向して配置される第１基材及び第２基材と、
前記第１基材と前記第２基材との間に配置される電気光学物質と、
前記第１基材上に設けられた第１電極と、
前記第２基材上に設けられた第２電極と、
前記第１電極と前記第２電極とが重なる領域に形成された複数の表示用ドットと、
互いに隣り合う前記表示用ドットの間の領域で開口部を有するように前記第１基材上に設けられ、且つ不規則に配列された複数の山部又は谷部を有する下地層と、
該下地層上と該下地層間とに設けられた金属膜からなる反射層と、
前記下地層上の前記反射層上においては一層で設けられ、前記下地層の開口部の前記反射層においては積層して設けられる樹脂からなる着色層と
を有することを特徴とする電気光学装置。
【請求項２１】  請求項２０において、
前記下地層の開口部の着色層は、青色系の前記着色部、緑色系の前記着色部及び赤色系の前記着色部を少なくとも有し、
青色系の前記着色部、緑色系の前記着色部及び赤色系の前記着色部は、前記互いに隣り合う表示用ドットの間の領域において前記基材に前記青色系の着色部、
前記緑色系の着色部及び前記赤色系の着色部の順に積層される
ことを特徴とする電気光学装置。    
【請求項２２】  請求項２０又は請求項２１において、
前記下地層の開口部の着色層は、第１色の第１着色部と、第２色の第２着色部とを少なくとも有し、
前記第１着色部と前記第２着色部は、前記互いに隣り合う表示用ドットの間の領域において重なるように形成されることを特徴とする電気光学装置。
【請求項２３】  請求項２２において、前記第１着色部の可視光波長域における平均透過率は、前記第２着色部の可視光波長域における平均透過率よりも低く、
前記第１着色部及び前記第２着色部は、前記基材に該第１着色部及び該第２着色部の順に積層されることを特徴とする電気光学装置。
【請求項２４】  請求項２０において、
前記下地層の開口部の着色層は、青色系の前記着色部と、緑色系又は赤色系の前記着色部とを少なくとも有し、
青色系の前記着色部と緑色系又は赤色系の前記着色部とは、前記互いに隣り合う表示用ドットの間の領域において前記基材に前記青色系の着色部及び前記緑色系又は赤色系の着色部の順に積層されていることを特徴とする電気光学装置。
【請求項２５】  請求項１８乃至請求項２４のいずれか１つに記載の電気光学装置を有することを特徴とする電子機器。
【請求項２６】  複数の表示用ドットが形成される基材上に下地層を形成する工程と、  
前記下地層上と該下地層間の前記基材上に金属膜からなる反射層を形成する工程と、
前記下地層上の前記反射層上に着色層を形成する工程と、
前記下地層間の前記反射層上に樹脂からなる遮光層を形成する工程と
前記着色層を形成する工程では、前記表示用ドットに対応する領域に前記着色層を形成することを特徴とする電気光学装置用基板の製造方法。
【請求項２７】  複数の表示用ドットが形成される基材上に下地層を形成する工程と、
前記下地層上と該下地層間とに金属膜からなる反射層を形成する工程と、
前記基材上に樹脂からなる遮光層を形成する工程とを有し、
前記下地層を形成する工程では、互いに隣り合う前記表示用ドットの間の領域で開口部を有し、且つ不規則に形成された山部又は谷部を有するように前記下地層を形成し、
前記遮光層形成工程では、前記開口部を埋めるように前記遮光層を形成する
ことを特徴とする電気光学装置用基板の製造方法。
【請求項２８】  複数の表示用ドットが形成される基材上に下地層を形成する工程と、
前記下地層上と該下地層間とに金属膜からなる反射層を形成する工程と、
前記基材上に樹脂からなる着色層を形成する工程とを有し、
前記下地層を形成する工程では、互いに隣り合う前記表示用ドットの間の領域で開口部を有し、且つ不規則に形成された山部又は谷部を有するように前記下地層を形成し、
前記着色層形成工程では、  前記着色層を前記下地層上の前記反射層上においては一層で設け、前記下地層の開口部の前記反射層においては積層して設ける
ことを特徴とする電気光学装置用基板の製造方法。
【請求項２９】  請求項２８において、前記下地層の開口部の着色層を形成する工程では、
前記着色層は青色系の前記着色部、緑色系の前記着色部及び赤色系の前記着色部を少なくとも有し、
青色系の前記着色部、緑色系の前記着色部及び赤色系の前記着色部は、前記互いに隣り合う表示用ドットの間の領域において前記基材に前記青色系の着色部、前記緑色系の着色部及び前記赤色系の着色部の順に積層される
ことを特徴とする電気光学装置用基板の製造方法。
【請求項３０】  請求項２８において、前記下地層の開口部の着色層を形成する工程では、
前記着色層は第１色の第１着色部と、第２色の第２着色部とを少なくとも有し、前記第１着色部と前記第２着色部は、前記互いに隣り合う表示用ドットの間の領域において重なるように形成される
ことを特徴とする電気光学装置用基板の製造方法。
【請求項３１】  請求項２８において、前記着下地層の開口部の色層を形成する工程は、
前記着色層が、青色系の前記着色部と緑色系又は赤色系の前記着色部とを有し、青色系の前記着色部と緑色系又は赤色系の前記着色部とが、前記互いに隣り合う表示用ドットの間の領域において青色系の前記着色部及び緑色系又は赤色系の前記着色部の順に積層されるように形成する
ことを特徴とする電気光学装置用基板の製造方法。
【請求項３２】  複数の表示用ドットが形成される第１基材上に下地層を形成する工程と、
前記下地層上と該下地層間とに金属膜からなる反射層を形成する工程と、
前記基材上に樹脂からなる遮光層を形成する工程と、
前記第１基材上に第１電極を形成する工程と、
前記第１基材と対向する第２基材に第２電極を形成する工程と、
前記第１基材と前記第２基材の間に電気光学物質の層を形成する工程とを有し、
前記下地層を形成する工程では、互いに隣り合う前記表示用ドットの間の領域で開口部を有し、且つ不規則に形成された山部又は谷部を有するように前記下地層を形成し、
前記遮光層形成工程では、前記開口部を埋めるように前記遮光層を形成する
ことを特徴とする電気光学装置の製造方法。
【手続補正２】
【補正対象書類名】明細書
【補正対象項目名】００１０
【補正方法】変更
【補正の内容】
【００１０】
【課題を解決するための手段】
（１）上記の目的を達成するため、本発明に係る電気光学装置用基板は、複数の表示用ドットが形成される基材と、該基材上の前記表示用ドットに対応する領域に設けられ、前記複数の表示用ドット間の領域には設けられない下地層と、該下地層上と該下地層間の前記基材上に設けられる金属膜からなる反射層と、前記下地層上の前記反射層上に設けられた着色層と、前記下地層間の前記反射層上に設けられた樹脂からなる遮光層とを有することを特徴とする。
【手続補正３】
【補正対象書類名】明細書
【補正対象項目名】００１１
【補正方法】変更
【補正の内容】
【００１１】
この構成の電気光学装置では、反射型表示を行う場合、外部光は着色層を透過して反射層で反射し、観察者へ向かう。着色層の下方には下地層及び反射層が設けられるので、外部光は適度な散乱状態で反射され、視野の広い表示が可能となる。
一方、下地層は表示用ドットの間の領域には設けられないので、すなわち、遮光層が設けられる領域には下地層が設けられないので、遮光層を設ける部分の厚さは下地層の厚さ分だけ減少する。これにより、遮光層の突出を防止でき、それ故、基板の表面に凹凸ができることを抑制できる。すなわち、基板の表面の平坦性を向上できる。
また金属膜からなる反射層が下地層間に設けられているため、透過表示時にバックライトから表示ドット間に入射する光を透過させない機能が、前記反射層が下地層間になく着色層や樹脂ブラックなどからなる遮光層のみ設けられている構成に比べ格段に向上し、透過表示時の表示品質を改善できる。
（２）上記構成の電気光学装置用基板において、前記下地層の平面形状は前記表示用ドットの平面形状と略同じであることが望ましい。こうすれば、反射型表示の際に、下地層から着色層へ適度に散乱した光を十分な広さで供給でき、それ故、視野角の広い反射型表示を行うことができる。
【手続補正４】
【補正対象書類名】明細書
【補正対象項目名】００１２
【補正方法】変更
【補正の内容】
【００１２】
（３）次に、本発明に係る他の電気光学装置用基板は、複数の表示用ドットが形成される基材と、互いに隣り合う前記表示用ドットの間の領域で開口部を有するように前記基材上に設けられた下地層と、該下地層上と前記開口部の前記基材上に設けられた金属膜からなる反射層と、前記下地層上の前記反射層上に設けられた着色層と前記反射層上であって、前記開口部を埋めるように設けられた樹脂からなる遮光層と、
を有することを特徴とする。
この構成電気光学装置用基板によれば、下地層が設けられていない領域に遮光層が設けられるので、基板全体としての平坦性が向上する。
【手続補正５】
【補正対象書類名】明細書
【補正対象項目名】００１３
【補正方法】変更
【補正の内容】
【００１３】
（４）次に、本発明に係る他の電気光学装置用基板は、複数の表示用ドットが形成される基材と、互いに隣り合う前記表示用ドットの間の領域で開口部を有するように前記基材上に設けられ、且つ不規則に配列された山部又は谷部を有する下地層と、該下地層上と前記開口部の前記基材上に設けられた金属膜からなる反射層と、前記下地層上の前記反射層上に設けられた着色層と前記反射層上であって、前記開口部を埋めるように設けられた樹脂からなる遮光層と、を有することを特徴とする。
この構成の電気光学装置では、下地層に不規則に配列された山部又は谷部を有しているため、反射型表示の際に下地層から着色層へ適度に散乱した光を十分な広さで供給でき、それ故、視野角の広い反射型表示を行うことができる。
【手続補正６】
【補正対象書類名】明細書
【補正対象項目名】００１４
【補正方法】変更
【補正の内容】
【００１４】
（５）次に、本発明に係る他の電気光学装置用基板は、複数の表示用ドットが形成される基材と、互いに隣り合う前記表示用ドットの間の領域で開口部を有するように前記基材上に設けられ、且つ不規則に配列された山部又は谷部を有する下地層と、該下地層上と前記開口部の前記基材上に設けられた金属膜からなる反射層と、
前記下地層上の前記反射層上においては一層で設けられ、前記下地層の開口部の前記反射層においては積層して設けられる樹脂からなる着色層とを有することを特徴とする
この構成の電気光学装置でも、視野の広い表示が可能となり、基板の表面の平坦性を向上でき、また透過表示時の表示品質を改善できる。
また下地層に不規則に配列された山部又は谷部を有しているため、反射型表示の際に下地層から着色層へ適度に散乱した光を十分な広さで供給でき、それ故、視野角の広い反射型表示を行うことができる。
【手続補正７】
【補正対象書類名】明細書
【補正対象項目名】００１５
【補正方法】変更
【補正の内容】
【００１５】
（６）上記構成の電気光学装置用基板においては、前記反射層は、一部に開口部を有する構成とすることが望ましい。こうすれば、半透過反射型の電気光学装置用基板が形成できる。つまり、本発明によれば、反射型の電気光学装置用基板だけではなく、半透過型電気光学装置基板においても、各表示用ドットと、それに隣り合う表示用ドット間の境界領域との間における表面の平坦性を確保でき、セルギャップのバラツキ等を軽減できる。
【手続補正８】
【補正対象書類名】明細書
【補正対象項目名】００１６
【補正方法】変更
【補正の内容】
【００１６】
（７）次に、上記構成の電気光学装置用基板においては、前記遮光層の高さは、前記下地層の高さと略同じとすることが望ましい。こうすれば、遮光層と下地層の高さが基材に対して略同じになるので、各表示用ドットとそれに隣り合うドット間領域との表面の平坦性を確保でき、セルギャップのバラツキ等を軽減できる。
【手続補正９】
【補正対象書類名】明細書
【補正対象項目名】００１７
【補正方法】変更
【補正の内容】
【００１７】
（８）次に、上記構成の電気光学装置用基板においては、前記着色層上に設けられる保護層をさらに有することが望ましい。こうすれば、着色層が傷つくのを防ぎ表示品質が劣化することを防ぐことができる。
【手続補正１０】
【補正対象書類名】明細書
【補正対象項目名】００１８
【補正方法】変更
【補正の内容】
【００１８】
（９）また、本発明に係る電気光学装置用基板においては、前記反射層の開口部の底
部は、前記下地層が除かれた領域を有することになる。この構成によれば、下地層が除かれている分、例えば遮光層の高さを低くでき、セルギャップのバラツキ等を軽減できる。
また半透過反射型の電気光学装置用基板が形成できる。つまり、本発明によれば、反射型の電気光学装置用基板だけではなく、半透過型電気光学装置基板においても、各表示用ドットと、それに隣り合う表示用ドット間の境界領域との間における表面の平坦性を確保でき、セルギャップのバラツキ等を軽減できる。
【手続補正１１】
【補正対象書類名】明細書
【補正対象項目名】００１９
【補正方法】変更
【補正の内容】
【００１９】
（１０）また、上記電気光学装置用基板においては、前記下地層の開口部の着色層は、青色系の前記着色部、緑色系の前記着色部及び赤色系の前記着色部を少なくとも有し、
青色系の前記着色部、緑色系の前記着色部及び赤色系の前記着色部は、前記隣り合う表示用ドットの間の領域において前記基材に前記青色系の着色部、前記緑色系の着色部及び前記赤色系の着色部の順に積層されることを特徴とする。
このような構成とすれば、遮光層を着色層で形成することができ、且つその遮光性を増すことができる。
【手続補正１２】
【補正対象書類名】明細書
【補正対象項目名】００２０
【補正方法】変更
【補正の内容】
【００２０】
（１１）また、上記電気光学装置用基板においては、前記下地層の開口部の着色部は、前記青色系の着色部の厚さが０．７〜２．０μｍに、前記緑色系の着色部の厚さが０．８〜１．２μｍに、前記赤色系の着色部の厚さが０．７〜１．１μｍの範囲であり、且つ前記青色系の着色部の厚さは前記緑色系の着色部の厚さ及び前記赤色系の着色部の厚さよりも厚くに形成されることが望ましい。
このような構成とすれば、遮光性を更に増すことができる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
（１２）また、上記電気光学装置用基板においては、前記下地層の開口部の着色層は第１色の第１着色部と、第２色の第２着色部とを少なくとも有し、前記第１着色部と前記第２着色部は、前記互いに隣り合う表示用ドットの間の領域において重なるように形成されることが望ましい。
【手続補正１６】
【補正対象書類名】明細書
【補正対象項目名】００２４
【補正方法】変更
【補正の内容】
【００２４】
（１３）また、上記電気光学装置用基板においては、前記第１着色部及び第２着色部は、それぞれ、前記互いに隣り合う表示用ドットに対応して設けられることが望ましい。
【手続補正１７】
【補正対象書類名】明細書
【補正対象項目名】００２５
【補正方法】変更
【補正の内容】
【００２５】
（１４）また、上記電気光学装置用基板においては、前記第１着色部の可視光波長域における平均透過率は、前記第２着色部の可視光波長域における平均透過率よりも低く、
前記第１着色部及び前記第２着色部は、前記下地層の開口部において該第１着色部及び該第２着色部の順に積層されることが望ましい。
【手続補正１８】
【補正対象書類名】明細書
【補正対象項目名】００２６
【補正方法】変更
【補正の内容】
【００２６】
（１５）また、上記電気光学装置用基板においては、前記第１着色部の光の波長域４００ｎｍ〜７００ｎｍにおける平均透過率は、前記第２着色部の光の波長域４００ｎｍ〜７００ｎｍにおける平均透過率よりも低く、  前記第１着色部及び前記第２着色部は、前記基材に該第１着色部及び該第２着色部の順に積層され、且つ前記第１着色部の厚さは前記第２着色部の厚さよりも厚く形成されることが望ましい。
【手続補正１９】
【補正対象書類名】明細書
【補正対象項目名】００２７
【補正方法】変更
【補正の内容】
【００２７】
（１６）  また、上記電気光学装置用基板においては、前記第１着色部の厚さは、０．７μｍ以上であって２．０μｍ以下であることが望ましい。
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】変更
【補正の内容】
【００２９】
（１７）また、上記電気光学装置用基板においては、前記下地層の開口部の着色層は、青色系の前記着色部と、緑色系又は赤色系の前記着色部とを有し、青色系の前記着色部と緑色系又は赤色系の前記着色部とは、前記互いに隣り合う表示用ドットの間の領域において前記基材に前記青色系の着色部及び前記緑色系又は赤色系の着色部の順に積層され、且つ前記青色系の着色部の厚さは前記緑色系の着色部の厚さ及び前記赤色系の着色部の厚さよりも厚く積層されることが望ましい。
【手続補正２２】
【補正対象書類名】明細書
【補正対象項目名】００３０
【補正方法】変更
【補正の内容】
【００３０】
（１８）本発明における電気光学装置は、上記の電気光学装置用基板と、該電気光学装置用基板に対向して設けられた他の基板と、前記電気光学装置用基板と前記他の基板との間に設けられた電気光学物質層とを有することを特徴とする。    
【手続補正２３】
【補正対象書類名】明細書
【補正対象項目名】００３１
【補正方法】変更
【補正の内容】
【００３１】
（１９）また本発明における電気光学装置は、互いに対向して配置される第１基材及び第２基材と、前記第１基材と前記第２基材との間に配置される電気光学物質と、前記第１基材上に設けられた第１電極と、前記第２基材上に設けられた第２電極と、前記第１電極と前記第２電極とが重なる領域に形成された複数の表示用ドットと、互いに隣り合う前記表示用ドットの間の領域で開口部を有するように前記第１基材上に設けられ、且つ不規則に配列された複数の山部又は谷部を有する下地層と、
該下地層上と該下地層間とに設けられた金属膜からなる反射層と、前記下地層の開口部を埋めるように設けられた樹脂からなる遮光層とを有することを特徴とする。
【手続補正２４】
【補正対象書類名】明細書
【補正対象項目名】００３２
【補正方法】変更
【補正の内容】
【００３２】
（２０）また本発明における電気光学装置は、互いに対向して配置される第１基材及び第２基材と、前記第１基材と前記第２基材との間に配置される電気光学物質と、前記第１基材上に設けられた第１電極と、前記第２基材上に設けられた第２電極と、前記第１電極と前記第２電極とが重なる領域に形成された複数の表示用ドットと、互いに隣り合う前記表示用ドットの間の領域で開口部を有するように前記第１基材上に設けられ、且つ不規則に配列された複数の山部又は谷部を有する下地層と、該下地層上と該下地層間とに設けられた金属膜からなる反射層と、前記下地層上の前記反射層上においては一層で設けられ、前記下地層の開口部の前記反射層においては積層して設けられる樹脂からなる着色層とを有することを特徴とする。
【手続補正２５】
【補正対象書類名】明細書
【補正対象項目名】００３３
【補正方法】変更
【補正の内容】
【００３３】
（２１）上記構成の電気光学装置において、前記下地層の開口部の着色層は、青色系の前記着色部、緑色系の前記着色部及び赤色系の前記着色部を少なくとも有し、青色系の前記着色部、緑色系の前記着色部及び赤色系の前記着色部は、前記互いに隣り合う表示用ドットの間の領域において前記基材に前記青色系の着色部、前記緑色系の着色部及び前記赤色系の着色部の順に積層されることが望ましい。
【手続補正２６】
【補正対象書類名】明細書
【補正対象項目名】００３４
【補正方法】変更
【補正の内容】
【００３４】
（２２）また、上記構成の電気光学装置において、前記下地層の開口部の着色層は、第１色の第１着色部と、第２色の第２着色部とを少なくとも有し、前記第１着色部と前記第２着色部は、前記互いに隣り合う表示用ドットの間の領域において重なるように形成されることが望ましい。
【手続補正２７】
【補正対象書類名】明細書
【補正対象項目名】００３５
【補正方法】変更
【補正の内容】
【００３５】
（２３）また、上記構成の電気光学装置において、前記第１着色部の可視光波長域における平均透過率は、前記第２着色部の可視光波長域における平均透過率よりも低く、
前記第１着色部及び前記第２着色部は、前記基材に該第１着色部及び該第２着色部の順に積層されることが望ましい。
【手続補正２８】
【補正対象書類名】明細書
【補正対象項目名】００３６
【補正方法】変更
【補正の内容】
【００３６】
（２４）また、上記構成の電気光学装置において、前記下地層の開口部の着色層は、青色系の前記着色部と、緑色系又は赤色系の前記着色部とを少なくとも有し、青色系の前記着色部と緑色系又は赤色系の前記着色部とは、前記互いに隣り合う表示用ドットの間の領域において前記基材に前記青色系の着色部及び前記緑色系又は赤色系の着色部の順に積層されていることが望ましい。
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】変更
【補正の内容】
【００３８】
（２５）本発明の電子機器は、上記の電気光学装置を有することを特徴とする電子機器。
【手続補正３１】
【補正対象書類名】明細書
【補正対象項目名】００３９
【補正方法】変更
【補正の内容】
【００３９】
（２６）本発明の電気光学装置用基板の製造方法は、複数の表示用ドットが形成される基材上に下地層を形成する工程と、前記下地層上と該下地層間の前記基材上に金属膜からなる反射層を形成する工程と、前記下地層上の前記反射層上に着色層を形成する工程と、前記下地層間の前記反射層上に樹脂からなる遮光層を形成する工程と前記着色層を形成する工程では、前記表示用ドットに対応する領域に前記着色層を形成することを特徴とする。
【手続補正３２】
【補正対象書類名】明細書
【補正対象項目名】００４０
【補正方法】変更
【補正の内容】
【００４０】
（２７）また本発明の電気光学装置用基板の製造方法は、複数の表示用ドットが形成される基材上に下地層を形成する工程と、前記下地層上と該下地層間とに金属膜からなる反射層を形成する工程と、前記基材上に樹脂からなる遮光層を形成する工程とを有し、
前記下地層を形成する工程では、互いに隣り合う前記表示用ドットの間の領域で開口部を有し、且つ不規則に形成された山部又は谷部を有するように前記下地層を形成し、  前記遮光層形成工程では、前記開口部を埋めるように前記遮光層を形成することを特徴とする。
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】変更
【補正の内容】
【００４２】
（２８）また本発明の電気光学装置用基板の製造方法は、複数の表示用ドットが形成される基材上に下地層を形成する工程と、前記下地層上と該下地層間とに金属膜からなる反射層を形成する工程と、前記基材上に樹脂からなる着色層を形成する工程とを有し、前記下地層を形成する工程では、互いに隣り合う前記表示用ドットの間の領域で開口部を有し、且つ不規則に形成された山部又は谷部を有するように前記下地層を形成し、前記着色層形成工程では、  前記着色層を前記下地層上の前記反射層上においては一層で設け、前記下地層の開口部の前記反射層においては積層して設けることを特徴とする。
【手続補正３５】
【補正対象書類名】明細書
【補正対象項目名】００４３
【補正方法】変更
【補正の内容】
【００４３】
（２９）また、上記構成の電気光学装置用基板の製造方法において、前記下地層の開口部の着色層を形成する工程では、前記着色層は青色系の前記着色部、緑色系の前記着色部及び赤色系の前記着色部を少なくとも有し、青色系の前記着色部、緑色系の前記着色部及び赤色系の前記着色部は、前記互いに隣り合う表示用ドットの間の領域において前記基材に前記青色系の着色部、前記緑色系の着色部及び前記赤色系の着色部の順に積層されることが望ましい。
【手続補正３６】
【補正対象書類名】明細書
【補正対象項目名】００４４
【補正方法】変更
【補正の内容】
【００４４】
（３０）また、上記構成の電気光学装置用基板の製造方法において、前記下地層の開口部の着色層を形成する工程では、前記着色層は第１色の第１着色部と、第２色の第２着色部とを少なくとも有し、前記第１着色部と前記第２着色部は、前記互いに隣り合う表示用ドットの間の領域において重なるように形成されることが望ましい。
【手続補正３７】
【補正対象書類名】明細書
【補正対象項目名】００４５
【補正方法】変更
【補正の内容】
【００４５】
（３１）また、上記構成の電気光学装置用基板の製造方法において、前記着下地層の開口部の色層を形成する工程は、前記着色層が、青色系の前記着色部と緑色系又は赤色系の前記着色部とを有し、青色系の前記着色部と緑色系又は赤色系の前記着色部とが、前記互いに隣り合う表示用ドットの間の領域において青色系の前記着色部及び緑色系又は赤色系の前記着色部の順に積層されるように形成することが望ましい。
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】変更
【補正の内容】
【００４７】
（３２）また本発明の電気光学装置用基板の製造方法は、複数の表示用ドットが形成される第１基材上に下地層を形成する工程と、前記下地層上と該下地層間とに金属膜からなる反射層を形成する工程と、前記基材上に樹脂からなる遮光層を形成する工程と、前記第１基材上に第１電極を形成する工程と、前記第１基材と対向する第２基材に第２電極を形成する工程と、前記第１基材と前記第２基材の間に電気光学物質の層を形成する工程とを有し、前記下地層を形成する工程では、互いに隣り合う前記表示用ドットの間の領域で開口部を有し、且つ不規則に形成された山部又は谷部を有するように前記下地層を形成し、前記遮光層形成工程では、前記開口部を埋めるように前記遮光層を形成することを特徴とする。
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】